(57)【特許請求の範囲】
【請求項１】
ケーシングと、上記ケーシングに固定された固定スクロールと、上記ケーシングに固定されたステータと、上記ケーシングに回転可能に支持された回転軸と、上記回転軸に固定されたロータと、上記回転軸に偏心して回転可能に支持された旋回軸と、上記旋回軸に設けられた旋回スクロールと、上記旋回軸の自転を防止する自転防止手段とを設け、上記自転防止手段として、上記ケーシングに固定された支持部材と、上記支持部材に移動可能に支持されかつ長手方向が移動方向と直交する方向である穴が設けられた移動板とを有するものを用い、上記旋回軸の両側に切欠面を設け、上記切欠面を上記旋回軸の中心線と平行とし、両側の上記切欠面を上記穴の幅方向と直角な面に係合させたことを特徴とするスクロール圧縮機。
【発明の詳細な説明】
【０００１】
【発明の属する技術分野】
本発明は空気圧縮機、真空ポンプ、冷媒ガス圧縮機、酸素吸入機用圧縮機等として用いられるスクロール圧縮機に関するものである。
【０００２】
【従来の技術】
図６は従来のスクロール圧縮機（特開昭５７−２４４８６号公報）を示す概略断面図である。図に示すように、ケーシング１に軸受支え２が固定され、軸受支え２に固定スクロール３が固定され、固定スクロール３には渦巻状のラップが設けられている。また、ケーシング１にステータ４が固定され、軸受支え２、ケーシング１に軸受７、８を介して回転軸６が回転可能に支持され、回転軸６にロータ５が固定され、回転軸６に軸受１０、１１を介して旋回軸９が回転可能に支持され、回転軸６の中心線と旋回軸９の中心線とは偏っている。また、旋回軸９の上部に旋回スクロール１２が一体に設けられ、旋回スクロール１２には固定スクロール３のラップと同一形状のラップが設けられ、旋回スクロール１２のラップと固定スクロール３のラップとが重なり合っており、複数の圧縮室が形成されている。また、旋回スクロール１２と軸受支え２との間にオルダムリングを有する自転防止手段１３が設けられ、ケーシング１に吸入管１４が接続され、固定スクロール３に吐出管１５が接続されている。
【０００３】
このスクロール圧縮機においては、ステータ４の巻線に通電すると、ロータ５、回転軸６が回転し、旋回軸９は回転軸６の中心線を中心として偏心旋回するが、自転防止手段１３が設けられているから、旋回軸９は自転しない。このため、旋回スクロール１２が固定スクロール３に対して回転せずに偏心旋回するから、旋回スクロール１２と固定スクロール３との間に形成された圧縮室が徐々に縮小する。したがって、冷媒ガス等の被圧縮ガスは吸入管１４から吸引され、軸受支え２に設けられた通気孔（図示せず）を通って外側の圧縮室に入り、圧縮室で圧縮されて吐出管１５から吐出される。
【０００４】
【発明が解決しようとする課題】
しかし、このようなスクロール圧縮機においては、自転防止手段１３が旋回スクロール１２と軸受支え２との間に設けられており、旋回スクロール１２の温度が上昇するから、自転防止手段１３の温度が上昇するので、自転防止手段１３の寿命が短くなり、また自転防止手段１３が熱膨張するため、効率が低下する。
【０００５】
本発明は上述の課題を解決するためになされたもので、自転防止手段の寿命が長く、また効率が低下することがないスクロール圧縮機を提供することを目的とする。
【０００６】
【課題を解決するための手段】
この目的を達成するため、本発明においては、ケーシングと、上記ケーシングに固定された固定スクロールと、上記ケーシングに固定されたステータと、上記ケーシングに回転可能に支持された回転軸と、上記回転軸に固定されたロータと、上記回転軸に偏心して回転可能に支持された旋回軸と、上記旋回軸に設けられた旋回スクロールと、上記旋回軸の自転を防止する自転防止手段とを設け、上記自転防止手段として、上記ケーシングに固定された支持部材と、上記支持部材に移動可能に支持されかつ長手方向が移動方向と直交する方向である穴が設けられた移動板とを有するものを用い、上記旋回軸の両側に切欠面を設け、上記切欠面を上記旋回軸の中心線と平行とし、両側の上記切欠面を上記穴の幅方向と直角な面に係合させる。
【０００７】
【発明の実施の形態】
図１は参考例のスクロール圧縮機を示す概略断面図、図２は図１のＡ−Ａ断面図である。図に示すように、ケーシング２１に固定スクロール２２が固定され、固定スクロール２２には渦巻状のラップが設けられている。また、ケーシング２１にステータ２３が固定され、ケーシング２１に軸受支え２６、２７が固定され、軸受支え２６、２７に軸受２８、２９を介して回転軸２５が回転可能に支持され、回転軸２５にロータ２４が固定され、ステータ２３、ロータ２４等によりモータが構成されている。また、回転軸２５に軸受３１、３２を介して旋回軸３０が回転可能に支持され、回転軸２５の中心線と旋回軸３０の中心線とは偏っている。すなわち、旋回軸３０は回転軸２５に偏心して回転可能に支持されている。また、旋回軸３０の上部に旋回スクロール３３が取り付けられ、旋回スクロール３３には固定スクロール２２のラップと同一形状のラップが設けられ、旋回スクロール３３のラップと固定スクロール２２のラップとが重なり合っており、複数の圧縮室が形成され、固定スクロール２２、旋回スクロール３３等により圧縮機本体が構成されている。また、旋回軸３０の下部すなわち図１紙面下方部に旋回板３４が固定され、軸受支え２７と旋回板３４との間に第１、第２の突起３６、３７を有するオルダムリング３５が設けられ、軸受支え２７、旋回板３４に第１、第２の溝３８、３９が設けられ、溝３８、３９は直交しており、溝３８、３９に突起３６、３７が係合して、軸受支え２７、オルダムリング３５等により旋回軸３０の偏心旋回を許容しかつ旋回軸３０の自転を防止する自転防止手段が構成されている。すなわち、自転防止手段の固定部である軸受支え２７はケーシング２１に固定され、また移動部であるオルダムリング３５は旋回軸部である旋回板３４と係合している。また、固定スクロール２２に吸入管４０が接続され、固定スクロール２２に吐出管４１が接続され、吸入管４０、吐出管４１は圧縮室に連通している。そして、ケーシング２１、モータ、回転軸２５、旋回軸３０、自転防止手段等により偏心旋回駆動装置が構成されている。
【０００８】
このスクロール圧縮機においては、ステータ２３の巻線に通電すると、ロータ２４、回転軸２５が回転し、旋回軸３０は回転軸２５の中心線を中心として偏心旋回するが、オルダムリング３５等からなる自転防止手段が設けられているから、旋回軸３０は自転しない。このため、旋回軸３０、旋回スクロール３３がケーシング２１、固定スクロール２２に対して回転せずに偏心旋回するから、旋回スクロール３３と固定スクロール２２との間に形成された圧縮室が徐々に縮小する。したがって、空気等の被圧縮ガスは吸入管４０から吸引され、圧縮室で圧縮されて吐出管４１から吐出される。
【０００９】
このようなスクロール圧縮機においては、自転防止手段の固定部である軸受支え２７はケーシング２１に固定され、また移動部であるオルダムリング３５は旋回軸部である旋回板３４と係合しているから、換言すればオルダムリング３５が軸受支え２７と旋回板３４との間に設けられているから、旋回スクロール３３の温度が上昇したとしても、オルダムリング３５の温度が上昇することがないので、オルダムリング３５の寿命が長くなり、またオルダムリング３５が熱膨張しないため、効率が低下することがない。また、オルダムリング３５がケーシング２１の下部に設けられているから、オルダムリング３５を容易に潤滑することができるので、オルダムリング３５の寿命がさらに長くなり、また効率をさらに向上することができる。
【００１０】
図３は参考例の冷媒ガス圧縮機として用いられるスクロール圧縮機を示す概略断面図である。図に示すように、ケーシング５１に室５２が液密に固定され、室５２に固定スクロール５３が固定され、固定スクロール５３には渦巻状のラップが設けられている。また、固定スクロール５３に高圧室５４が固定され、ケーシング５１にステータ５５が固定され、ケーシング５１にボールベアリング５８、５９を介して回転軸５７が回転可能に支持され、回転軸５７にロータ５６が固定され、ステータ５５、ロータ５６等によりモータが構成されている。また、回転軸５７にボールベアリング６１、６２を介して旋回軸６０が回転可能に支持され、回転軸５７の中心線と旋回軸６０の中心線とは偏っている。すなわち、旋回軸６０は回転軸５７に偏心して回転可能に支持されている。また、旋回軸６０の上部に旋回スクロール６３が取り付けられ、旋回スクロール６３と固定スクロール５３との間にシール６４が設けられ、旋回スクロール６３の下部にバランサ６５が取り付けられている。そして、旋回スクロール６３には固定スクロール５３のラップと同一形状のラップが設けられ、旋回スクロール６３のラップと固定スクロール５３のラップとが重なり合っており、複数の圧縮室が形成されている。また、旋回軸６０の下部すなわち図３紙面下方部に旋回板６６が固定され、ケーシング５１と旋回板６６との間に第３、第４の突起６８、６９を有するオルダムリング６７が設けられ、ケーシング５１に第３の溝７０が設けられ、旋回板６６にスリット７１が設けられ、溝７０とスリット７１とは直交しており（図３では本来は溝７０、スリット７１のいずれか一方のみが図示されるべきであるが、図示の都合上溝７０とスリット７１との両者を図示している）、溝７０、スリット７１に突起６８、６９が係合して、ケーシング５１の一部、オルダムリング６５等により旋回軸６０の偏心旋回を許容しかつ旋回軸６０の自転を防止する自転防止手段が構成されている。すなわち、自転防止手段の固定部であるケーシング５１の一部はケーシング５１に固定され、また移動部であるオルダムリング６５は旋回軸部である旋回板６６と係合している。また、ケーシング５１の底部すなわち図３紙面下部に蓋７２が取り付けられ、固定スクロール５３に吸入管７７が接続され、吸入管７７は室５２および圧縮機本体の圧縮室に連通しており、高圧室５４に吐出管７８が接続され、吐出管７８は逆止弁７９を介して圧縮機本体の圧縮室に連通している。そして、ケーシング５１、モータ、回転軸５７、旋回軸６０、自転防止手段等により偏心旋回駆動装置が構成されている。
【００１１】
このスクロール圧縮機においては、ステータ５５の巻線に通電すると、ロータ５６、回転軸５７が回転し、旋回軸６０の中心線は回転軸５７の中心線を中心として偏心旋回するが、オルダムリング６７等からなる自転防止手段が設けられているから、旋回軸６０は自転しない。このため、旋回軸６０、旋回スクロール６３がケーシング５１、固定スクロール５３に対して回転せずに偏心旋回するから、旋回スクロール６３と固定スクロール５３との間に形成された圧縮室が徐々に縮小する。したがって、冷媒ガスは吸入管７７から吸引され、圧縮室で圧縮されて吐出管７８から吐出される。
【００１２】
図４は本発明に係るスクロール圧縮機を示す概略断面図、図５は図４のＢ−Ｂ断面図である。図に示すように、ケーシング２１に支持部材８１が固定され、支持部材８１に図５紙面上下方向に移動可能に移動板８２が支持され、移動板８２に長手方向が移動板８２の移動方向と直交する方向すなわち図５紙面左右方向である長方形の穴８３が設けられ、旋回軸３０の下部の両側に切欠面８４が設けられ、切欠面８４は旋回軸３０の中心線と平行な面であり、両側の切欠面８４はそれぞれが平行である。また、切欠面８４が穴８３の幅方向すなわち図５紙面上下方向と直角な面に係合しており、支持部材８１、移動板８２等により旋回軸３０の偏心旋回を許容しかつ旋回軸３０の自転を防止する自転防止手段が構成されている。すなわち、自転防止手段の固定部である支持部材８１はケーシング２１に固定され、また移動部である移動板８２は旋回軸部である切欠面８４と係合している。
【００１３】
このスクロール圧縮機においては、ステータ２３の巻線に通電すると、ロータ２４、回転軸２５が回転し、旋回軸３０は回転軸２５の中心線を中心として偏心旋回するが、支持部材８１、移動板８２等からなる自転防止手段が設けられているから、旋回軸３０は自転しない。このため、旋回軸３０、旋回スクロール３３がケーシング２１、固定スクロール２２に対して回転せずに偏心旋回するから、旋回スクロール３３と固定スクロール２２との間に形成された圧縮室が徐々に縮小する。したがって、空気等の被圧縮ガスは吸入管４０から吸引され、圧縮室で圧縮されて吐出管４１から吐出される。
【００１４】
このようなスクロール圧縮機においては、自転防止手段の固定部である支持部材８１はケーシング２１に固定され、また移動部である移動板８２は旋回軸部である切欠面８４と係合しているから、旋回スクロール３３の温度が上昇したとしても、移動板８２の温度が上昇することがないので、移動板８２の寿命が長くなり、また移動板８２が熱膨張しないため、効率が低下することがない。また、移動板８２がケーシング２１の下部に設けられているから、移動板８２を容易に潤滑することができるので、移動板８２の寿命がさらに長くなり、また効率をさらに向上することができる。
【００１５】
なお、上述参考例においては、旋回軸３０、６０の下部に旋回板３４、６６を固定したが、旋回軸の他の個所に旋回板を固定してもよく、旋回軸の上部に旋回板を固定したときには、旋回軸のねじれの影響を小さくすることができるから、圧縮機本体の効率を向上することができる。また、上述実施の形態においては、旋回軸３０の下部に切欠面８４を設けたが、旋回軸の他の個所に切欠面を設けてもよく、旋回軸の上部に切欠面を設けたときには、旋回軸のねじれの影響を小さくすることができるから、圧縮機本体の効率を向上することができる。なお、旋回軸を穴に貫通させるときには、移動板を中央部で２分割し、旋回軸を穴に貫通させた状態で移動板を接合する。また、上述参考例、実施の形態においては、旋回軸３０、６０の片側にのみ圧縮機本体を設けたが、旋回軸の両側に圧縮機本体を設けてもよい。
【００１６】
【発明の効果】
本発明に係るスクロール圧縮機においては、自転防止手段の固定部がケーシングに固定されかつ移動部が旋回軸部と係合しているから、旋回スクロールの温度が上昇したとしても、自転防止手段の温度が上昇することがないので、自転防止手段の寿命が長くなり、また自転防止手段が熱膨張しないため、効率が低下することがない。
【図面の簡単な説明】
【図１】参考例のスクロール圧縮機を示す概略断面図である。
【図２】図１のＡ−Ａ断面図である。
【図３】参考例のスクロール圧縮機を示す概略断面図である。
【図４】本発明に係るスクロール圧縮機を示す概略断面図である。
【図５】図４のＢ−Ｂ断面図である。
【図６】従来のスクロール圧縮機を示す概略断面図である。
【符号の説明】
２１…ケーシング
２２…固定スクロール
２３…ステータ
２４…ロータ
２５…回転軸
３０…旋回軸
３３…旋回スクロール
３４…旋回板
３５…オルダムリング
３６、３７…突起
３８、３９…溝
５１…ケーシング
５３…固定スクロール
５５…ステータ
５６…ロータ
５７…回転軸
６０…旋回軸
６３…旋回スクロール
６６…旋回板
６７…オルダムリング
６８、６９…突起
７０…溝
７１…スリット
８１…支持部材
８２…移動板
８３…穴
８４…切欠面
【図１】
0003540244.tif 000002
【図２】
0003540244.tif 000003
【図３】
0003540244.tif 000004
【図４】
0003540244.tif 000005
【図５】
0003540244.tif 000006
【図６】
0003540244.tif 000007